(57)【要約】      （修正有）【課題】ネットワークの切断が発生し画像ファイルの再送信となった場合に、再送信の時間を短くすることを可能とする、画像ファイルを外部機器に送信する撮像装置を提供する。【解決手段】画像転送の許可と禁止を設定する転送設定手段と、外部機器４が接続されているかを認識する認識手段と、記録媒体に保存する画像ファイルの最大サイズを設定する画像サイズ設定手段を有する。そして、画像転送が許可とされており、外部機器４に接続されている場合には、画像ファイルのサイズを大きくし、外部機器４に接続されていない場合には、画像ファイルのサイズを小さくして画像を送信する。【選択図】図１
2018129638.tif 000002
【特許請求の範囲】
【請求項１】
撮像装置から外部機器へ撮像した画像または、撮像中の画像を転送するシステムであって、撮像装置は、撮像した画像を記録して保存する記録媒体と、記録媒体の画像を外部機器へ送信する送信手段と、画像転送の許可と禁止を設定する転送設定手段と、外部機器を指定する指定手段と、外部機器が接続されているかを認識する認識手段と、前記記録媒体に保存する画像の最大サイズを設定する画像サイズ設定手段により、
画像転送が前記転送設定により許可とされていて、前記認識手段により外部機器が接続されているかを認識し、接続されている場合は、前記画像サイズ設定手段により、画像の最大サイズを大きくし、接続されていない場合は、画像の最大サイズを小さくして前記送信手段により画像を送信することを特徴とする撮像装置。
【請求項２】
前記撮像装置において、前記転送設定手段により画像転送が禁止設定とされている場合は、前記画像サイズ設定手段により、画像の最大サイズを大きくすることを特徴とする請求項１に記載の撮像装置。
【請求項３】
撮像装置は、撮像した画像を記録して保存する記録媒体と、記録媒体の画像を外部機器へ送信する送信手段と、画像転送の許可と禁止を設定する転送設定手段と、外部機器を指定する指定手段と、外部機器が接続されているかを認識する認識手段と、外部機器へ画像を送信している速度を計測する計測手段と、前記記録媒体に保存する画像の最大サイズを設定する画像サイズ設定手段により、
画像転送が前記転送設定により許可とされた場合は、前記認識手段により外部機器が接続されているかを認識し、接続されている場合は、前記送信手段により、画像を送信し、前記計測手段により、画像を送信している速度が任意の一定速度以上の場合は、前記画像サイズ設定手段により、画像の最大サイズを大きくし、前記一定速度以下の場合は、画像の最大サイズを小さくして前記送信手段により画像を送信することを特徴とする撮像装置。
【請求項４】
前記撮像装置において、前記転送設定手段により画像転送が禁止設定とされている場合は、前記画像サイズ設定手段により、画像の最大サイズを大きくすることを特徴とする請求項２に記載の撮像装置。
【請求項５】
前記撮像装置において、前記認識手段により外部機器が接続されているかを認識し、接続されていない場合は、前記画像サイズ設定手段により、画像の最大サイズを小さくすることを特徴とする請求項２に記載の撮像装置。
【発明の詳細な説明】
【技術分野】
【０００１】
本発明は、撮像装置で撮像された画像データを、外部装置に送信する技術に関する。
【背景技術】
【０００２】
近年、ブロードバンド化が進み、インターネットをはじめとするネットワークの普及が進み、伝送帯域も拡大してきている。これにともない、大容量の画像データをネットワークを利用して伝送するような装置は増えつつある。撮影した画像や撮影中の画像の伝送もインターネット等のネットワークを介して外部機器であるファイルサーバーに伝送し、画像をファイルサーバーに保存する機能をもつビデオカメラが提案されている。
【０００３】
また、ビデオカメラは内蔵している記録媒体や脱着可能な記録媒体に動画像信号や音声信号を記録する。この種のビデオカメラにおいては、記録した動画や音声を所定のファイルシステムに従ってファイルとして管理する。動画や音声の記録中に、ファイルのサイズがファイルシステムにより規定された上限のサイズを超えない様に、記録中にファイルを分割しながら記録する構成も提案されている。
【０００４】
一方、画像ファイルを外部機器へ転送する機能を有する記録媒体が接続されているか否かを判定し、画像ファイルの容量に関する情報に応じて、前記画像ファイルの形式を、切り替えるデジタルカメラが提案されている。（例えば、特許文献１参照。）
【先行技術文献】
【特許文献】
【０００５】
【特許文献１】特開2011-061367号公報
【発明の概要】
【発明が解決しようとする課題】
【０００６】
しかしながら、上記従来例では、撮影した画像ファイルを外部機器へ転送する機能を有する記録媒体が接続されているか否かを判定し、画像ファイルの容量に関する情報に応じて、前記画像ファイルの形式を切り替えるカメラにおいて、以下のような問題があった。
【０００７】
撮影した画像は、外部機器へ転送する記録媒体が接続されている場合、ファイル形式を切り替えて、前記記録媒体へ撮影した画像を記録し、外部機器へ転送する。また、ファイルの最大サイズは、前記記録媒体のファイルシステムにより規定された上限のサイズを超えない様に設定される。
【０００８】
一方、転送に外部ネットワークを使用すると、転送先がネットワークに接続されているか、または転送量の大小にかかわらず画像ファイルの形式を切り替えるため、外部ネットワークの切断による再転送が発生したときに、再接続しても転送中だったファイルは先頭から送りなおさなければならない。このため最大で、前記設定されたサイズ分だけ再転送としなければならない。
【課題を解決するための手段】
【０００９】
本発明の撮像装置は、撮像装置から外部機器へ撮像した画像または、撮像中の画像を転送するシステムであって、撮像装置は、撮像した画像を記録して保存する記録媒体と、記録媒体の画像を外部機器へ送信する送信手段と、画像転送の許可と禁止を設定する転送設定手段と、外部機器を指定する指定手段と、外部機器が接続されているかを認識する認識手段と、前記記録媒体に保存する画像の最大サイズを設定する画像サイズ設定手段により、
画像転送が前記転送設定により許可とされていて、前記認識手段により外部機器が接続されているかを認識し、接続されている場合は、前記画像サイズ設定手段により、画像の最大サイズを大きくし、接続されていない場合は、画像の最大サイズを小さくして前記送信手段により画像を送信することを特徴としている。
【００１０】
本発明の撮像装置は、撮像した画像を記録して保存する記録媒体と、記録媒体の画像を外部機器へ送信する送信手段と、画像転送の許可と禁止を設定する転送設定手段と、外部機器を指定する指定手段と、外部機器が接続されているかを認識する認識手段と、外部機器へ画像を送信している速度を計測する計測手段と、前記記録媒体に保存する画像の最大サイズを設定する画像サイズ設定手段により、
画像転送が前記転送設定により許可とされた場合は、前記認識手段により外部機器が接続されているかを認識し、接続されている場合は、前記送信手段により、画像を送信し、前記計測手段により、画像を送信している速度が任意の一定速度以上の場合は、前記画像サイズ設定手段により、画像の最大サイズを大きくし、前記一定速度以下の場合は、画像の最大サイズを小さくして前記送信手段により画像を送信することを特徴としている。
【発明の効果】
【００１１】
以上説明したように、本発明によれば、撮影した画像や撮影中の画像をネットワークを介してファイルサーバーに転送する場合、または転送速度やファイルサーバーがネットワークに接続されているかにより、撮影した画像ファイルの上限となるサイズを変化させ、ファイルサーバーと接続されていない状態や転送速度が遅い場合、画像ファイルの上限を小さくし、転送速度が早い場合、動画ファイルサイズの上限が大きくするため、ネットワークの切断が発生し画像ファイルの再送信となった場合、再送信の時間を短くすることが可能である。
【図面の簡単な説明】
【００１２】
【図１】第１、第２の実施形態における、通信システム概念図
【図２】第１、第２の実施形態における、ビデオカメラの構成例を示すブロック図
【図３】第１、第２の実施形態における、撮影時ファイル転送設定のメニューＵＩを示す図
【図４】第１、第２の実施形態における、ファイル転送先設定のメニューＵＩを示す図
【図５】第１の実施形態における、ビデオカメラの動作フローチャート図
【図６】第２の実施形態における、ビデオカメラの動作フローチャート図
【発明を実施するための形態】
【００１３】
＜第１の実施形態＞
図１は、本発明に係る動画転送システムの実施例を用いた、撮影時の動画ファイル転送システムを示している。ビデオカメラ１は、アクセスポイント２よりインターネット３を介してサーバー４に動画ファイルを送信する。
【００１４】
図２は本発明にて実施されうるビデオカメラの構成例を示している。図示のように、ビデオカメラ２００は、システム制御部２０１、撮影処理部２０４、映像音声信号処理部２０５、ディスプレイ制御部２０６、操作部２０７、メモリ２０８、記憶媒体２０９、無線通信制御部２１０、外部Ｉ／Ｆ制御部２１２が内部バス２１１を介して接続された構成を有する。システム制御部２０１はＣＰＵ、記憶媒体であるＲＯＭやＲＡＭ等を有し、記憶媒体に格納された制御プログラムに従って、ビデオカメラ２００の各部の動作を制御する。
【００１５】
撮影処理部２０４は、レンズ２２０を制御して合焦動作をおこなうとともに、ＣＣＤ２２１等を制御して撮像動作をおこなう。映像音声信号処理部２０５はＣＣＤ２２１から出力される信号を処理するとともにマイク２２７からの信号も処理する。ディスプレイ制御部２０６には液晶ディスプレイ２２２が接続されており、ディスプレイ制御部２０６は液晶ディスプレイ２２２の表示を制御する。操作部２０７は、タッチパネル２２５、本体スイッチ２２６を有し、これらの操作をシステム制御部２０１に出力する。タッチパネル２２５は、液晶ディスプレイ２２２上部に設定される。
【００１６】
メモリ２０８には、映像音声信号処理部２０５で映像、音声の信号処理が施された撮影データが一時的に記憶される。記憶媒体２０９には、メモリ２０８に記憶されたデータの記録をおこなう。無線通信制御部２１０は、アンテナ２３０を通じて外部ネットワークへ接続し、記憶媒体２０９に記憶された撮影動画ファイルを送信する。また、無線通信制御部２１０は、ＩＥＥＥ８０２．１１ａ、ＩＥＥＥ８０２．１１ｂ、ＩＥＥＥ８０２．１１ｇ等に準拠した無線ＬＡＮ等に準拠したものであり、記憶媒体２０９に格納された動画ファイルをアクセスポイント２よりインターネット３を介してサーバー４に動画ファイルを送信する
本実施形態では、システム制御部２０１は、映像音声信号処理部２０５からの通知により、撮影中のファイルサイズを監視している。そして、システム制御部２０１は、撮影中のファイルサイズがファイルの分割を行うかどうかを決めるための閾値（ファイル分割閾値）に達した場合、記録中のファイルをクローズし、新たに動画ファイルを作成して記録を続ける。本実施形態では、ファイルシステムによって決められたファイルサイズの上限に基づき、ファイル分割の閾値を決定している。即ち、本実施形態では、ファイル分割の閾値を、ファイルサイズの上限よりも所定量少ない量としている。
【００１７】
ＦＡＴ３２ファイルシステムを用いている場合には、一つのファイルサイズの最大値が４ギガバイト（ＧＢ）という制限があるため、ファイル分割閾値は上限である４ＧＢよりも少ない所定値にする。  撮影中にファイルサイズがファイル分割閾値に達した場合、システム制御部２０１は記録媒体２０９に対し、現在開いているファイルをクローズし、新たなファイルを開いて符号化データの記録を続けるよう指示する。以上のように、動画の記録中にファイルのサイズがファイル分割閾値に達する毎にファイルを分割しながら記録を続ける。
【００１８】
また、本実施形態では、動画ファイルがクローズされたならば、システム制御部２０１は、無線通信制御部２１０を通じて外部ネットワークへ接続し、撮影中においても、クローズされた動画ファイルの送信を行う。
【００１９】
また図３は、撮影時ファイル転送設定のメニューＵＩを示す図であり、タッチパネル２２５において、メニューＵＩの表示をおこなうとともに、撮影時にファイル転送を行うか否かをビデオカメラ操作者により設定させる。タッチパネル２２５、操作部２０７を通して、システム制御部２０１は、設定状態をシステム制御部２０１内の記憶媒体であるＲＯＭやＲＡＭに記憶する。
【００２０】
また図４は、ファイル転送先設定のメニューＵＩを示す図であり、撮影時のファイル送信先アドレスを入力するアドレス入力ボックスを持つ。アドレス入力ボックス２１０はＩＰｖ４形式のＩＰアドレスを入力するものとして記載されているが、ＩＰｖ６形式のアドレスを入力可能に構成しても良い。
【００２１】
また、送信先サーバーへ接続するためのユーザー名を入力するユーザー名入力ボックス、パスワードをを入力するパスワード入力ボックスをもち、ビデオカメラ操作者により設定させる。システム制御部２０１は、タッチパネル２２５、操作部２０７を通して、設定状態をシステム制御部２０１内の記憶媒体であるＲＯＭやＲＡＭに記憶する。
システム制御部２０１は、図３、図４の設定で、撮影時にファイル転送を行い、転送先が設定設定されている場合は、撮影中に動画を転送するか否かの指定を可能とし、操作部２０７を通して指定の許可を行う。
【００２２】
ビデオカメラ操作者により送信指定された場合は、システム制御部２０１は、図４の設定により、無線通信制御部２１０を通じてアクセスポイント２よりインターネット３を介してサーバー４に接続が可能かを判断する。サーバー４に接続が可能な場合は、無線通信制御部２１０を通じて記憶媒体２０９にクローズされた撮影動画ファイルがある場合は、動画ファイルを送信する。
【００２３】
システム制御部２０１は、サーバー４に接続が可能か否かでファイル分割閾値を可変させる。本実施形態では、サーバー４に接続されている場合は２ＧＢとし、サーバー４と非接続の場合は、１ＧＢとしている。また、撮影時に動画ファイルを転送する設定とされたいないときは、システム制御部２０１は、ファイル分割閾値を４ＧＢとしている。
【００２４】
図５は、本発明にて実施されうるビデオカメラの撮影動画ファイルの送信システムの動作フローチャート図を示している。
【００２５】
Ｓ８０１において、システム制御部２０１は、図３の設定で、撮影時にファイル転送を行う設定としてい場合は、Ｓ８０２ヘ進み、設定されていない場合はＳ８０４へ進む。Ｓ８０２において、システム制御部２０１は、図４の設定で、転送先が設定設定されている場合は、Ｓ８０３ヘ進み、設定されていない場合はＳ８０４へ進む。Ｓ８０３において、システム制御部２０１は、送信指定されている場合は、Ｓ８０５ヘ進み、設定されていない場合はＳ８０４へ進む。
【００２６】
Ｓ８０４において、システム制御部２０１は、撮影動画ファイルのファイル分割閾値を４ＧＢとして、Ｓ８０８へ進む。Ｓ８０６において、システム制御部２０１は、撮影動画ファイルのファイル分割閾値を２ＧＢとして、Ｓ８０８へ進む。Ｓ８０７において、システム制御部２０１は、撮影動画ファイルのファイル分割閾値を１ＧＢとして、Ｓ８０８へ進む。Ｓ８０８において、システム制御部２０１は、ビデオカメラ１が撮影中か否かを判断し、撮影中の場合は、Ｓ８０９へ進み、撮影中でない場合は、Ｓ８０１へ進む。
【００２７】
Ｓ８０９において、システム制御部２０１は、記録媒体２０９に格納されている撮影動画のファイルサイズがファイル分割閾値を達しているかを判断する。達している場合は、Ｓ８１０へ進み、達していない場合はＳ８０１へ進む。Ｓ８１０において、システム制御部２０１は、現在開いているファイルをクローズし、新たなファイルを開いて符号化データの記録を続けるよう指示をおこない、Ｓ８０１へ進む。
【００２８】
以上のように本実施例においては、ビデオカメラ１が、サーバー４へ動画ファイルを送信する設定でないときは、動画ファイルは、ファイルシステムによって決められたファイルサイズの上限に基づいてファイルを生成する。サーバー４へ動画ファイルを送信する設定であり、サーバー４と接続できる状態では、前記ファイルサイズより小さくしてファイルを生成する。また、サーバー４へ動画ファイルを送信する設定であり、サーバー４と接続できない状態では、前記サーバー４と接続できる状態でのファイルサイズより小さい値でファイルを生成する。
【００２９】
サーバー４と接続可能か否かで、動画ファイルサイズの上限が可変されるため、サーバー４と接続が不可能な状態では、動画ファイルサイズの上限が小さくする。このため、サーバー４との通信が安定しないような、サーバー４と接続が不可能な状態となると、動画ファイルサイズの上限を小くするため、動画ファイルの再送信となった場合でも、再送信時間が短くすることが可能である。
【００３０】
＜第２の実施形態＞
第２の実施形態では、ビデオカメラ１は、アクセスポイント２よりインターネット３を介してサーバー４に動画ファイルを送信するばあい、動画ファイルの送信速度に応じて、ファイルサイズを可変させる。
【００３１】
図６は、本発明にて実施されうるビデオカメラの撮影動画ファイルの送信システムの動作フローチャート図を示している。
【００３２】
Ｓ９０１において、システム制御部２０１は、図３の設定で、撮影時にファイル転送を行う設定としてい場合は、Ｓ９０２ヘ進み、設定されていない場合はＳ９０４へ進む。Ｓ９０２において、システム制御部２０１は、図４の設定で、転送先が設定設定されている場合は、Ｓ９０３ヘ進み、設定されていない場合は９８０４へ進む。Ｓ９０３において、システム制御部２０１は、送信指定されている場合は、Ｓ９０５ヘ進み、設定されていない場合はＳ９０４へ進む。
【００３３】
Ｓ９０４において、システム制御部２０１は、システム制御部２０１内の記憶媒体であるＲＡＭに配置しているＢｕｆｆ、Ｔｒａｎｓをクリアする。また、Ｔｉｍｅｒのセットも行い、Ｓ９１１へ進む。Ｓ９０５において、システム制御部２０１は、Ｔｉｍｅｒがオーバーとなったかを判断し、オーバーした場合は、Ｓ９０６へ進み、オーバーしていない場合は、Ｓ９０９へ進む。
【００３４】
Ｓ９０６において、システム制御部２０１は、無線通信制御部２１０より、サーバー４に転送した動画サイズ情報を取得し、Ｔｉｍｅｒがセットされてからオーバーとなるまでの動画サイズ情報をしるため、システム制御部２０１内の記憶媒体であるＲＡＭに配置しているＢｕｆｆに格納し、Ｓ９０７へ進む。
【００３５】
Ｓ９０７において、Ｂｕｆｆの値をＢｕｆｆと同じくステム制御部２０１内の記憶媒体であるＲＡＭに配置しているＴｒａｎｓに格納し、Ｂｕｆｆには、前記サーバー４に転送した動画サイズ情報を格納し、Ｓ９０８へ進む。Ｓ９０８において、Ｔｉｍｅｒをセットし、Ｓ９１０へ進む。Ｓ９０９において、 システム制御部２０１は、Ｔｉｍｅｒのカウントアップを行い、Ｓ９１０へ進む。
【００３６】
Ｓ９１０において、システム制御部２０１は、Ｔｉｍｅｒがセットされてからオーバーとなるまでの動画サイズ情報が格納されているＴｒａｎｓの値が、大の場合は、Ｓ９１１へ進み、違う場合は、Ｓ９１２へ進む。
【００３７】
Ｓ９１１において、システム制御部２０１は、撮影動画ファイルのファイル分割閾値を４ＧＢとして、Ｓ９１５へ進む。Ｓ９１２において、Ｔｒａｎｓの値が小さい場合は、Ｓ９１４へ進み、違う場合は、Ｓ９１３へ進む。Ｓ９１３において、システム制御部２０１は、撮影動画ファイルのファイル分割閾値を２ＧＢとして、Ｓ９１５へ進む。Ｓ９１４において、システム制御部２０１は、撮影動画ファイルのファイル分割閾値を１ＧＢとして、Ｓ９１５へ進む。
【００３８】
Ｓ９１５において、システム制御部２０１は、ビデオカメラ１が撮影中か否かを判断し、撮影中の場合は、Ｓ９１６へ進み、撮影中でない場合は、Ｓ９０１へ進む。Ｓ９１６において、システム制御部２０１は、記録媒体２０９に格納されている撮影動画のファイルサイズがファイル分割閾値を達しているかを判断する。達している場合は、Ｓ９１７へ進み、達していない場合はＳ９０１へ進む。Ｓ９１７において、システム制御部２０１は、現在開いているファイルをクローズし、新たなファイルを開いて符号化データの記録を続けるよう指示をおこない、Ｓ９０１へ進む。
【００３９】
以上のように本実施例においては、ビデオカメラ１が、サーバー４へ動画ファイルを送信している量を一定時間毎に監視し、送信量が大きい場合は、動画ファイルサイズの上限を、前記ファイルシステムによって決められたファイルサイズの上限に小さく、上限に近い値として、ファイルを生成する。
【００４０】
また送信量が小さい場合は、動画ファイルサイズの上限を前記送信量が大きい場合のファイルサイズより小さくして、ファイルを生成する。このため、サーバー４との通信量が小さい場合、、サーバー４と接続が不可能な状態となると、動画ファイルサイズの上限が小さいため、動画ファイルの再送信となった場合でも、再送信時間が短くすることが可能である。
【符号の説明】
【００４１】
１  ビデオカメラ
２  アクセスポイント
３  インターネット
４  サーバー
【図１】
2018129638.tif 000003
【図２】
2018129638.tif 000004
【図３】
2018129638.tif 000005
【図４】
2018129638.tif 000006
【図５】
2018129638.tif 000007
【図６】
2018129638.tif 000008